(57)【要約】【課題】本発明は、鉄骨梁の上フランジに端部から所定寸法にわたって補強部材を設けることで、効果的な梁部材断面を得ることができ、それにより室内の天井高を高くすることを目的とするものである。【解決手段】ウェブとフランジとによって形成された梁鋼材の上フランジに、少なくともウェブとフランジからなる長尺の補強部材を、該梁鋼材の端部から必要な区間にわたり、該補強部材の該フランジを上にし、該ウェブが該梁鋼材のウェブの延長線上に位置するように該梁鋼材に接続一体化して立設してなることを特徴とする梁端部の補強構造。【選択図】  図１
2012077585.tif 000002
【特許請求の範囲】
【請求項１】
ウェブとフランジとによって形成された梁鋼材の上フランジに、少なくともウェブとフランジからなる長尺の補強部材を、該梁鋼材の端部から必要な区間にわたり、該補強部材の該フランジを上にし、該ウェブが該梁鋼材のウェブの延長線上に位置するように該梁鋼材に接続一体化して立設してなることを特徴とする梁端部の補強構造。
【請求項２】
補強部材は、梁鋼材と同様、柱鋼材と接続一体化してなることを特徴とする請求項１記載の梁端部の補強構造。
【請求項３】
補強部材は、梁鋼材の上フランジ上に設けられた床スラブコンクリート中に埋め込まれる高さに形成してなることを特徴とする請求項１又は２に記載の梁端部の補強構造。
【請求項４】
補強部材は、梁鋼材の上フランジ上に設けられた床スラブコンクリートの表面と該フランジ表面とが面一状態となる高さに形成してなることを特徴とする請求項１又は２に記載の梁端部の補強構造。
【請求項５】
補強部材は、梁鋼材の上フランジ上に設けられた床スラブコンクリートの表面から該上フランジ又は上フランジとウェブ上方側を露出させる高さに形成してなることを特徴とする請求項１又は２に記載の梁端部の補強構造。
【請求項６】
梁鋼材及び補強部材の露出面は、耐火被覆してなることを特徴とする請求項１乃至５のいずれか記載の梁端部の補強構造。
【請求項７】
梁鋼材は耐火被覆し、補強部材は露出状態としてなることを特徴とする請求項１乃至５のいずれか記載の梁端部の補強構造。
【発明の詳細な説明】
【技術分野】
【０００１】
本発明は、鉄骨造、ＣＦＴ造、ＳＲＣ造等の骨組みにおいて、梁端部に鉛直ハンチ部を設けることにより当該部位を補強し、中央側の梁成を低く抑えることのできる梁端部の補強構造に関するものである。
【背景技術】
【０００２】
従来、建築物の梁は、固定荷重及び積載荷重といった鉛直方向に作用する長期荷重、並びに、地震及び風といった水平方向に作用する短期荷重に対し、十分な耐力や剛性を持った断面が必要となる。そして、その梁は全長にわたり同一形状の断面として設計することが一般的であり、従って、梁成も全長にわたり同一高さとされている。
【０００３】
建築物の梁には、該梁の端部に鉛直ハンチ部を設ける設計手段がある。これは、地震応力の最も大きな箇所となる梁端部に鉛直ハンチ部を設けることにより、中央側断面のサイズダウンを図ることを目的としている。この設計手段により鉄骨量の削減と共に、設備等の配管を梁中央断面の下側を通過させることで天井高を有効に活用することができ、同一階高の場合、通常の梁を採用するのと比較して高い天井高を確保することが可能となる。
【０００４】
また、天井高を通常より高くする他の手段として、図４に示す下記特許文献１のように、鉄骨梁Ａの一部をスラブ埋込みとする技術がある。これは、該鉄骨梁ＡのウェブＢの上方位置にスラブ受け冶具Ｃを取付け、上フランジＤ又はウェブＢのいずれか一方若しくは双方にスタッド等のコネクタＥを設置し、該スラブ受け冶具Ｃの上に、鉄骨梁Ａの上フランジＤ上面と床スラブＦの上面とが一致するようにスラブコンクリートを打設する合成梁の技術である。これにより、床スラブＦに埋込まれた梁成の高さ分だけ天井ふところを小さくすることを可能とし、天井高を高くすることができるようにしている。
【０００５】
また、下記特許文献２の柱梁接合構造は、鉄骨梁の端部下側にＨ形鋼よりなる補助部材を取着した補強構造を示している。該補助部材は圧縮力伝達部材として作用するもので、鉄骨柱に当接しているのみで柱には接合されておらず、曲げモーメントが作用したときに該鉄骨柱を押し込む働きをするものである。
【０００６】
更に、下記特許文献３の床パネルの支持構造は、鉄骨梁の上フランジに該上フランジより幅広の下フランジを有するＨ形鋼をその全長にわたって取着することにより床パネルの端部支持部とし、柱が存在しても床パネルの一部を切欠する必要のない技術を示している。
【先行技術文献】
【特許文献】
【０００７】
【特許文献１】特開２００２−１８８２０９号公報
【特許文献２】特開２００６−２０７２６８号公報
【特許文献３】特開２００５−１４６５２８号公報
【発明の概要】
【発明が解決しようとする課題】
【０００８】
従来の梁の設計は、地震時応力が最も厳しくなる梁端部の断面で梁全体の断面が決まることが多く、それにより全長にわたり同一断面の梁とし、中央側の梁成は耐力的に余力のある梁成をもつ断面となっていた。
【０００９】
上記のように、適正な梁の断面形状を得ながら天井ふところを小さくすることは難しく、既往の鉛直ハンチ部を用いる構造を採用して中央側断面を小さくしても、梁成は端部で決定され、端部の鉛直ハンチ部となる下端が天井高の基準となり、それ以上に天井ふところを小さくしても天井を上げる効果を得ることはできなかった。
【００１０】
また、上記特許文献１の問題点として、鉄骨梁ＡのウェブＢ上方位置に床スラブＦを形成するためのスラブ受け冶具Ｃを鉄骨梁Ａの全長にわたって設けなければならないこと、及び該スラブ受け冶具Ｃと上フランジＤとの狭い隙間にスタッド等のコネクタＥを設ける施工をしなければならないこと、といった余分な作業が必要となる欠点があった。更に、上フランジＤ上面がスパンの全長にわたり露出しているため、耐火被覆をする場合は鉄骨梁Ａの上面の全てに該耐火被覆が露見してしまう欠点があった。また、鉄骨梁Ａを床スラブＦから突出させると、ＯＡフロア等で仕上げ施工したとしても、鉄骨梁Ａ上の長手方向全長にわたり上フランジＤが床スラブＦから突出し、配線等を含め非常に使い勝手の悪い建築物になってしまう欠点があった。このため、梁成を合理的に縮めることができるのは当該フロアに必要な床スラブＦの厚み寸法のみの最小限であり、それ以上、梁成を縮めることは実質上できなかった。
【００１１】
また、上記特許文献２の柱梁接合構造では、圧縮力しか伝達できない機構となっており、短期荷重の最大曲げモーメント発生メカニズムを勘案すると、長期荷重の曲げの影響により鉄骨梁上端に生じる負曲げが大きくなり、補強部材は鉄骨梁の下端に取り付ける形状を取らざるを得ない欠点があった。
【００１２】
更に、上記特許文献３の床パネルの支持構造では、鉄骨梁上のＨ形鋼上に陸立ち柱が設置されていても、遮音性能を向上させるため、該Ｈ形鋼を該鉄骨梁上部に接合し、そのＨ形鋼の下フランジの上面で床パネルを支持する構成となり、該Ｈ形鋼に構造部材としての機能を期待できるものではなかった。
【００１３】
そこで本発明は、H形鋼材の端部となる上フランジに、少なくともウェブと上フランジからなる所定長の補強部材を、該端部から必要な区間のみ梁に固定させ、且つ該補強部材も柱と接合することにより、鉄骨梁端部の耐力として補強部材の耐力を加えることができるようにした梁端部の補強構造を提供するものである。上記のように、補強部材を梁端部側の上面に設けることで、階高を効果的に縮めることを可能とした。更に、正負曲げの両方の外力において補強部材を効かせることができ、保有水平耐力時の梁としての曲げ耐力を大きくすることを可能とした。また、床スラブに覆われた部分の補強部材は、耐火被覆をする必要がなくなるメリットも生じ、それらにより利点の多い技術を提供することができるものである。
【００１４】
また、柱梁接合部となる端部側を補強して部材耐力を向上させているので、該補強部材は梁中央部では不要になるため梁成を小さくでき、階高を縮めることができる。更に、床スラブの支持構造は補強部材が存在しても通常の梁の場合と特に変わらない構造とすることができる。
【課題を解決するための手段】
【００１５】
ウェブとフランジとによって形成された梁鋼材の上フランジに、少なくともウェブとフランジからなる長尺の補強部材を、該梁鋼材の端部から必要な区間にわたり、該補強部材の該フランジを上にし、該ウェブが該梁鋼材のウェブの延長線上に位置するように該梁鋼材に接続一体化して立設してなる梁端部の補強構造を特徴とする。
【００１６】
また、上記補強部材は、梁鋼材と同様、柱鋼材と接続一体化してなる梁端部の補強構造を特徴とする。
【００１７】
更に、上記補強部材は、梁鋼材の上フランジ上に設けられた床スラブコンクリート中に埋め込まれる高さに形成して梁端部の補強構造を特徴とする。
【００１８】
また、上記補強部材は、梁鋼材の上フランジ上に設けられた床スラブコンクリートの表面と該フランジ表面とが面一状態となる高さに形成してなる梁端部の補強構造を特徴とする。
【００１９】
更に、上記補強部材は、梁鋼材の上フランジ上に設けられた床スラブコンクリートの表面から該上フランジ又は上フランジとウェブ上方側を露出させる高さに形成してなる梁端部の補強構造を特徴とする。
【００２０】
また、上記梁鋼材及び補強部材の露出面は、耐火被覆してなる梁端部の補強構造を特徴とする。
【００２１】
更に、上記梁鋼材は耐火被覆し、補強部材は露出状態としてなる梁端部の補強構造を特徴とする。
【発明の効果】
【００２２】
補強部材を梁鋼材の端部上面に所定長にわたり取り付けることで、必要とする荷重に対応できる応力の大きな梁端部の断面性能を確保でき、それにより床スラブの下に現れる梁の梁成を低くする断面とすることができる。これにより、使用する鋼材量の削減だけでなく、床スラブ下に現れる梁の露出高を通常より小寸法とし、天井ふところを小さくすることができ、低い階高でも十分な天井高を確保することが可能となった。
【００２３】
また、本発明により床スラブを形成するためのデッキを梁鋼材の上フランジで受けることができ、梁鋼材に余分なデッキ受け部材を取付ける必要が無くなった。更に、床スラブに埋め込み、或いは、梁鋼材の上面より突出させる部位は梁端部のみとなるので、梁鋼材の中央側の大半は通常の平滑な床スラブを得ることが可能となり、例えば、ＯＡフロアを採用することにより、補強部材が床スラブから突出するタイプを選択することもでき、それにより、天井ふところを合理的に小寸法とすることが可能となった。
【００２４】
また、耐火被覆については、少なくとも補強部材の側面部は、床スラブのコンクリートに覆われることになるので、当該部位については耐火被覆をする必要が無く、更に、場合によっては補強部材の露出面も耐火被覆する必要もなく、コストダウンを図ることが可能となった。
【図面の簡単な説明】
【００２５】
【図１】本発明の梁端部の補強構造の短手方向断面図。
【図２】本発明の梁端部の補強構造の長手方向断面図及び従来の梁構造の長手方向断面図。
【図３】本発明の梁端部の補強構造の他の実施例の短手方向断面図。
【図４】従来の床スラブ埋め込み型合成梁の短手方向断面図。
【発明を実施するための形態】
【００２６】
以下、図面を参考に本発明を実施するための最良の形態についてその実施例を説明する。
【実施例１】
【００２７】
図１は、本発明の梁端部の補強構造の短手方向断面図である。梁端部の補強構造は、ウェブ２及び上・下フランジ３よりなる鉄骨梁１、該鉄骨梁１の上フランジ３上に固定したウェブ４及びフランジ５よりなる断面Ｔ字形状の補強部材（以下、鉛直ハンチ部という）６及び鉄骨梁１の露出部分を被覆した耐火被覆７とより構成されている。該鉄骨梁１の上フランジ３上には、該鉛直ハンチ部６のウェブ４の下方部を埋め込むようにして床スラブ８が設けられることになる。
【００２８】
該鉛直ハンチ部６のウェブ４は、鉄骨梁１のウェブ２とその中心線を一致させるように該ウェブ２の延長線上に位置し、偏心が生じないように設けられ、該梁端部において施工される床スラブ８の厚さより長寸法として形成しているので、該ウェブ４の上方部及びフランジ５は床スラブ８表面より上方へ突出することになる。
【００２９】
鉄骨梁１の端部は設計上応力が最も厳しくなる部位となるので、図２に示す本発明のように、鉄骨梁１の端部から梁中央部に向けて所定の長さにわたり上記鉛直ハンチ部６を接続一体化して設けることになる。
【００３０】
上記のように、従来の梁は図２の中央部から右側の図のように、応力の最も厳しい部位となる梁端部側の梁成寸法に合わせて全体の梁高を決めていたが、本実施例１にあっては、左側の図のように、全体を梁成寸法の低い鉄骨梁１とし、応力の最も厳しくなる端部側のみを上方へ突出する鉛直ハンチ部６により梁を補強し、中央側は低い梁成寸法の状態のものをそのまま使用している。これにより梁部材量を大幅に節約することが可能となった。
【００３１】
また、図１に示すように、鉛直ハンチ部６の上方部は床スラブ８の表面より上方へ突出する構成としているが、該床スラブ８上に支持脚９を介してＯＡフロア１０を形成するための空間１１を設けることにより、上記突出部は該空間１１内に収まることになる。
【００３２】
上記突出部は、鉄骨梁１の両端部側の所定長のみが突出することになるので、空間１１内におけるＯＡ用床配線やその他の設備に支障をきたすことはない。
【００３３】
上記構成により、鉄骨梁１の下方に設けられた天井面１２を有する下方の室内空間の天井高Ｈ１は、図２における従来の鉄骨梁１´の下方に設けられた天井面１２´を形成する下方の室内空間の天井高Ｈ２と比較して同一寸法となる階高にも係わらず高く形成することが可能となる。
【００３４】
他方、耐火被覆については下記する考え方がある。耐火被覆の必要な部位は防火上及び避難上の観点から重要とされる主要構造部(建築基準法第２条第５号)であり、例えば、筋かい材や火打ち材といった部材は構造耐力上主要な部位(建築基準法施工令第１条第３号)であっても、主要構造部ではないため、耐火被覆を行わなくてもよいとされている。これは地震と火災が同時に発生する事は極めて少ないという考え方に基づいており、従って、筋かい材や火打ち材が水平荷重時のみ有効な部材として作用する場合に限られている。上記事実を踏まえると、鉛直ハンチ部が長期・短期の両荷重について共に有効であるとして設計した場合には、鉛直ハンチ部の所定の厚みを持たない部分又はコンクリートに覆われていない部分についても適切に耐火被覆をする必要が生じる。しかし、鉛直ハンチ部を短期荷重についてのみ有効として設計を行えば、上記した部位に耐火被覆をする必要は無いということになる。但し、その場合は中央側の断面のみで長期荷重に対して十分な耐力を有するという設計をしなければならないため、図２のＡ部及びＢ部において両部分を柱に接続する、又は両端をピンとしても長期の鉛直荷重に対して十分な剛性と耐力を有するような中央断面とする等といった対応が必要である。また、上記鉛直ハンチ部を長期・短期荷重共に有効とする場合は基本的に図２のＡ部のみで柱に接続してあれば良い。
【００３５】
上記理由により、鉄骨梁１のウェブ２及び上・下フランジ３の露出面は、適宜耐火被覆材によって耐火被覆７が設けられることになるが、床スラブ８から突出した鉛直ハンチ部６は耐火被覆を設ける必要はない。これにより設計計画の幅が増加することになる。
【実施例２】
【００３６】
図３は、本発明の梁端部の補強構造を示す他の実施例の短手方向断面図である。梁端部の補強構造は、ウェブ２２及び上・下のフランジ２３よりなる鉄骨梁２１、該鉄骨梁２１の上フランジ２３上に固定したウェブ２４及びフランジ２５よりなる断面Ｔ字形状の鉛直ハンチ部２６及び鉄骨梁２１の露出した部分を被覆した耐火被覆２７とより構成されている。該鉄骨梁２１の上フランジ２３上には、該鉛直ハンチ部２６の全体が埋設されるか或いは該鉛直ハンチ部２６のフランジ２５表面のみが露出し、他の部位が埋設されるように床スラブ２８が設けられることになる。
【００３７】
上記実施例１同様、鉛直ハンチ部２６のウェブ２４は、鉄骨梁２１のウェブ２２の延長線上に位置し、偏心が生じないように中心線が一致するようにして固定されている。また、該鉛直ハンチ部２６は、鉄骨梁２１の端部から梁中央側に向けて所定の長さにわたり設けている。
【００３８】
更に、実施例１と同様、支持脚２９を介してＯＡフロア３０を設けることにより鉛直ハンチ部２６のフランジ２５表面が露出し、耐火被覆２７を設けた場合でも空間３１内に納めることが可能となる。
【００３９】
前記したように、耐火被覆を不要とする考えは、床スラブ天端と鉛直ハンチ部のフランジの天端が同じレベルで、該フランジの上面がコンクリートに覆われていないにも係わらず、床スラブの仕上げがタイル貼りとなっていて耐火被覆が出来ないような部位に関しても本発明を使用する際に有効となってくる。
【００４０】
また、天井高も上記実施例１と同様、同一寸法となる階高において従来のものより高く形成することが可能となる。
【符号の説明】
【００４１】
１、２１                  鉄骨梁
２、４、２２、２４            ウェブ
３、５、２３、２５            フランジ
６、２６                  鉛直ハンチ部
７、２７                  耐火被覆
８、２８                  床スラブ
９、２９                  支持脚
１０、３０                ＯＡフロア
１１、３１                空間
１２、１２´               天井面
【図１】
2012077585.tif 000003
【図２】
2012077585.tif 000004
【図３】
2012077585.tif 000005
【図４】
2012077585.tif 000006